(57)【特許請求の範囲】
【請求項１】
スポンジ及びこのスポンジを着脱可能に装着可能な着脱板を含むスポンジモップを絞るためのスポンジモップ絞り器であって、
特定の回転中心軸回りに回転可能に軸支されており、上記回転中心軸と直交する進行方向に沿って上記スポンジモップが進行するときに上記スポンジに接触しつつ上記回転中心軸回りに回転しながら当該スポンジを絞る絞り用ローラと、
上記回転中心軸と直交する方向について上記絞り用ローラから側方に離間した位置に配置されており、上記スポンジモップが上記進行方向に沿って進行するときに上記着脱板を押さえる間隔調整具と、
上記絞り用ローラの側方のうち上記絞り用ローラを基準として上記間隔調整具が位置する側と反対側の側方に設けられかつ上記絞り用ローラ側に開口する形状を有し、上記スポンジを洗浄するための洗浄水を受ける洗浄水受けと、
上記絞り用ローラと上記洗浄水受けとの間を仕切る仕切り板と、を備え、
上記仕切り板のうち上記絞り用ローラよりも下方に位置する部位には、上記洗浄水受けに受けられている洗浄水を上記絞り用ローラの下方において上記絞り用ローラと上記間隔調整具との間に位置する上記スポンジに供給するための洗浄用注水孔が設けられていることを特徴とするスポンジモップ絞り器。
【請求項２】
上記洗浄水受けに一端が連通し、他端が洗浄水供給源に取り付けられた洗浄用タンクに流量調整機構を設けたことを特徴とする請求項１に記載のスポンジモップ絞り器。
【請求項３】
上記絞り用ローラに、同絞り用ローラを回転させる駆動手段を装着したことを特徴とする請求項１に記載のスポンジモップ絞り器。
【発明の詳細な説明】
【技術分野】
【０００１】本発明は、床などの拭き掃除に使用するスポンジモップ（スポンジを着脱する装着板とスポンジからなり、以下、スポンジモップと略称する。）などを水（洗剤・消毒液など）で洗浄するときの洗浄水（洗剤・消毒液など）を常に清潔な水（洗剤・消毒液など）で洗浄するスポンジモップの洗浄装置、特に病院における床洗浄に使用されるスポンジモップの洗浄装置に関するものである。
【背景技術】
【０００２】病院における床などの拭き掃除では、院内感染の予防のため、粉塵を巻き上げないで、埃と汚れを除去することが院内感染予防対策になります。
原発事故においても、埃に放射能が付着している場合は、箒などで掃き、舞い上げた埃を体内に吸い込むと、内部被曝となるので、粉塵を巻き上げないで、埃や、汚れ、放射能（セシュウムなど）を確実に水の中に回収することで、内部被ばくの防止対策になります。また、学校などにおける黒板拭きはチョークの粉を周囲に撒き散らすので、黒板拭きを使用する者の健康を害しますので、チョークの粉を舞い上げない黒板拭きと、黒板拭きの絞り器が必要である。そこで、より少ない清潔な洗浄水量で洗浄し、スポンジモップ（清掃用モップや黒板拭きなど）に含ませる水分を確実に絞り取り、洗浄後の水を受ける水槽を小さくして、スポンジモップに洗浄水を適量な含水量にするコンパクトなスポンジモップ絞り器で、モップを絞るときにモップの柄が周囲の人や物、壁や天井に当たらないで、モップの柄を人力で引っ張る必要もなく、安全に絞れるモップ絞り器が切望されていた。
【先行技術文献】
【特許文献】
【０００３】
【特許文献１】  特開２００３−１４４３６９号特許公開公報
【特許文献２】  特開２００７−１３０９８７号特許公開公報
【発明の概要】
【発明が解決しようとする課題】
【０００４】スポンジモップが含んだ水分を絞りだす時、スポンジモップに最適な圧力を加える必要があり、絞り器とスポンジモップ両面から絞り効果を最大化する必要がある。従来のスポンジモップ絞り器は、面で絞る為には大きな力が必要であった。そこで、ローラ式絞り器を考えたが、スポンジモップ着脱板の柄が邪魔をして、一対以上のローラでは絞れなかった。長いスポンジモップを絞るのに、スポンジモップより長い絞り器と大きい汚水受け（バケツ）が必要であった。
【課題を解決するための手段】
【０００５】本発明は、平行に間隔を有して配置された絞り用ローラとスポンジモップ脱着板を押さえるガイドローラである間隔調整具からなる一対のローラを具備してなるスポンジモップ絞り器において、絞り器本体に、回動可能に軸支された前記絞り用ローラと、同ローラの一方に洗浄水を区隔する仕切り板と、同仕切り板に穿設した洗浄用注水孔と、前記仕切り板に隣設する洗浄水受けと、前記絞り用ローラの他方に間隔を有してスポンジを装着したスポンジモップ脱着板を押さえる前記間隔調整具（ガイドローラ）を取り付けたことを特徴とするスポンジモップ絞り器で、更に、前記絞り器本体に取り付けた洗浄水受けに、スポンジモップ絞り調整板を出没可能に取り付けると共に、洗浄水受けに一端が連通し、他端が洗浄水供給源（洗浄用タンク）との間に流量調整機構を設けたスポンジモップ絞り器とし、次に、仕切り板に穿設した洗浄用注水孔と、上記絞り用ローラの間の前記絞り用ローラにスポンジモップの洗浄後の絞り水の飛散防止板を当設した。加えて、絞り用ローラに、同絞り用ローラを回転させる駆動手段を装着した。
【発明の効果】
【０００６】従来のスポンジモップ絞り器は、面で絞る為には大きな力が必要であったが、本発明では、絞り用ローラを用いて線（市販品は面）で絞るので、小さな力で固く絞れる様になった。また、従来は、スポンジモップ着脱板の柄が邪魔をして、一対以上のローラでは絞れなかったが、前記一対のローラのひとつを軸方向に２分割したスポンジモップ絞り器を使用したので、２分割の押さえ間隔調整具（ガイドローラ）の間をスポンジモップ着脱板の柄が通り抜けることが可能となった。更に、長いスポンジモップを絞るのに、スポンジモップより長い絞り器、スポンジモップより大きい汚水受け（バケツ）が必要であったが、本発明のスポンジモップ絞り器は長いスポンジモップも絞る事が可能になった。【０００７】スポンジを装着したスポンジモップが絞り用ローラと押さえ間隔調整具（ガイドローラ）の隙間に挿入後、絞り調整板に合わせた状態でスポンジを装着して移動することにより、着脱板に装着したスポンジの水分を必要な適度の水分量に出来た。本発明に係るスポンジモップ絞り器は、前述した構成としたことにより、垂直上方に絞ることで、押さえ間隔調整具（ガイドローラ）と絞り用ローラで絞られた水がスポンジモップに沿って下方に流れる時に、スポンジモップに、洗浄に用いた洗浄水が再び吸収され、スポンジモップの洗浄に再利用した場合は、洗浄水量が少なくて済んだ。従って、汚水受け（バケツ）で洗うときの１／２０以下の清潔な洗浄水量での洗浄が可能となった。また、汚水受け（バケツ）の床面積は１／１０程度となった。スポンジモップの洗浄は、外部の水流圧で洗浄するのではなく、水分を含んだスポンジを絞る時に、絞り用ローラでスポンジの体積が急激に縮小してスポンジ内部の圧力が高くなり、スポンジに含まれた水分は外へ押し出される。その時に、スポンジに付着した埃や汚れを、スポンジの外へ押し出すのと同時に、スポンジの含水量は均一で、清拭に必要な適度の含水量となる。水量調整機構は洗浄水の必要水量を洗浄水受けに受けて、洗浄水の流水速度と水圧を無くすことで、スポンジに均一に吸収させることが出来た。更に、絞り用ローラに、同絞り用ローラを回転させる駆動手段として、手動ハンドルや電駆動モーターを装着したことにより、スポンジモップが、安定的に、ふら付くことなく、絞り用ローラで絞られることにより、スポンジに付着した埃や汚れを、スポンジの外へ押し出すのと同時に、スポンジの含水量は均一で、清拭に必要な適度の含水量に調整でき、モップの柄が周囲の人や物、壁や天井に当たることがなく、モップの柄を人力で引っ張る必要もなく、安全に絞ることが可能となった。
【図面の簡単な説明】
【０００８】
【図１】本発明のスポンジモップ絞り器の概要を示す図である。
【図２】スポンジモップ絞り器の要部を示す図１のＡ部拡大であり、第２実施例の説明図である。
【図３】本発明に係る第３実施例を示す説明図である。
【図４】本発明に係る第４実施例を示す説明図である。
【図５】本発明に係る第５実施例を示す説明図である。
【図６】本発明に係る第６実施例を示す説明図である。
【図７】本発明に係る第８実施例を示す説明図である。
【図８】本発明に係る第９実施例を示す説明図である。
【発明を実施するための形態】
【０００９】本発明に係る具体的実施例を図１から図５を参照して、以下説明する。
【実施例１】
【００１０】本発明に係る第１実施例でのスポンジモップ絞り器は、縦型にして水槽が小さくなるようにした事例で、以下、図１を参照して説明する。図１に図示する如く、本実施例では、絞り器本体１に、回動可能に軸支された絞り用ローラ２と、同ローラ２の一方に洗浄水を区隔する仕切り板３と、同仕切り板３に穿設した洗浄用注水孔４と、前記仕切り板３に隣設する洗浄水受け５と、前記絞り用ローラ２の他方に間隔を有して、スポンジ７を装着した着脱板９（スポンジモップ）を押さえる間隔調整具６を取り付けたスポンジモップ絞り器とし、図示する如く、絞り器部分を縦型として、洗浄水（給水または、補給水）を少なくし、少ない水分をスポンジモップ８へ適当量を均一に含ませる縦型絞り器とした。縦型絞り器は、スポンジモップ８の脱着板９を押さえる間隔調整具（ガイドローラ）６と、絞り用ローラ２で絞られた水がスポンジモップ８に沿って下方に流れるときに、スポンジ７に、再度、吸収され、スポンジ７の洗浄に再利用されるので、洗浄水量が少なくなった。汚水受け（バケツ）１５で洗う時の１／１０から１／２０で、清潔な洗浄水での洗浄が可能となった。
【実施例２】
【００１１】本発明に係る第２実施例を、図２を参照して説明する。図２に図示する如く、本実施例が、実施例１のスポンジモップ絞り器と異なる点は、絞り器本体１に取り付けた洗浄水受け５に、スポンジモップ８の絞り調整板１３を出没可能に取り付けて、スポンジ７を固く絞る際には、大目に突出させた。また、絞り器本体１上部の洗浄水タンク１２の流量調整機構（コック）１１を開き、洗浄水受け５に水を流す時、洗浄水タンク１２の水圧を下げて、仕切り板３に穿設した洗浄用注水孔４（一個または複数個の穴）を介して、スポンジ７にゆっくり洗浄水を含ませたあと、絞り用ローラ２で絞るようにした。一時的に、洗浄水受け５（貯水部）に水を貯める事により、水の落下速度が遅くなり、少ない水量で、確実に水分を含ませる事が可能になった。スポンジ７の洗浄は、外部の水流圧で洗浄するのではなくて、水分を含んだスポンジ７を絞る際に、絞り用ローラ２で急激にスポンジの体積を縮小してスポンジ７内を昇圧し、スポンジ７に含まれた水分は外へ排出するようにした。その際、スポンジ７に付着した埃や汚れを、水と一緒にスポンジ７の外へ押し出して、スポンジ７に含浸する水分は、清拭に最適な均一で適度な含水量となった。
【実施例３】
【００１２】本発明に係る第３実施例を、図３を参照して説明する。図３に図示する如く、本実施例が、実施例１のスポンジモップ絞り器と異なる点は、上記洗浄水受け５に一端が洗浄水受け５（貯水部）に連通し、他端が洗浄水供給源１２に取り付けられた洗浄水タンクに連通するコックなどの流量調整機構１０を途中に設けたことである。流量調整機構１０は、洗浄水１２の必要量を（一時）洗浄水受け５に送り、スポンジ７が清拭時に最適な均一で適度な含水量となるように均一に吸収させた。
【実施例４】
【００１３】本発明に係る第４実施例を、図４を参照して説明する。図４に図示する如く、本実施例が、実施例１のスポンジモップ絞り器と異なる点は、洗浄用注水孔４を仕切り板３に穿接して、最適な水量を確実にスポンジ７に含浸させた。更に、絞り用ローラ２の間の前記絞り用ローラ２にスポンジモップ８の絞り水飛散防止板１４を当設したことで、スポンジ７に含浸させた洗浄水を絞る際に、絞り用ローラ２に付着追随する洗浄水を飛散しないように、また、汚れた洗浄水が再度、絞られたスポンジ７に含水させないようにして、除去することができた。
【実施例５】
【００１４】本発明に係る第５実施例を、図５を参照して説明する。図５に図示する如く、本実施例が、実施例１のスポンジモップ絞り器と異なる点は、絞り器本体１の下部にバケツなどの汚水受け１５を設置し、洗浄水供給源の洗浄水タンク１２の洗浄水がなくなった場合に備えて、汚水受け１５に溜まった水を汲み上げポンプ１６やビニールパイプなどを介して洗浄水供給源の洗浄水タンク１２に供給する機構を設けたことである。
【実施例６】
【００１５】また、図６に図示する如く、仕切り板３に隣設した洗浄用注水孔４をスポンジ７に当設させて、絞り用ローラ２で絞られた水（汚れた洗浄水）を洗浄用注水孔４の上部に誘導して、汚れた洗浄水が再度、絞られたスポンジ７に含水させないようにして、常に洗浄用注水孔４からの清潔な水をスポンジ７に含水させた。
【実施例７】
【００１６】更に、図示は省略するが、ガイドローラ６と、着脱板９に、凸凹の嵌合部を設けて、スポンジモップ８が、絞り器のガイドローラ６と、しぼり絞り用ローラ２の間に確実に取り込み絞れるようにした。
【実施例８】
【００１７】    図７は、本発明に係る第８実施例を示す説明図で、絞り用ローラ２に、絞り用ローラ２を回転させる駆動手段として、手動ハンドル１７を装着したことにより、スポンジモップ８は、絞り用ローラ２が回転していると、絞り器のガイドローラ６と、絞り用ローラ２の間に確実に取り込まれ、安定的に、ふら付くことなく、絞り用ローラ２で絞られることにより、スポンジに付着した埃や汚れを、スポンジの外へ押し出すのと同時に、スポンジの含水量は均一で、清拭に必要な適度の含水量に調整でき、モップの柄が周囲の人や物、壁や天井に当たることがなく、モップの柄を人力で引っ張る必要もなく、安全に絞ることが可能となった。
【実施例９】
【００１８】図８は、本発明に係る第９実施例を示す説明図で、絞り用ローラ２に、絞り用ローラ２を回転させる駆動手段として、電動モーター１８を装着したことにより、スポンジモップ８は、絞り用ローラ２が回転していると、絞り器のガイドローラ６と、絞り用ローラ２の間に確実に取り込まれ、安定的に、ふら付くことなく、絞り用ローラ２で絞られることにより、スポンジに付着した埃や汚れを、スポンジの外へ押し出すのと同時に、スポンジの含水量は均一で、清拭に必要な適度の含水量に調整でき、モップの柄が周囲の人や物、壁や天井に当たることがなく、モップの柄を人力で引っ張る必要もなく、安全に絞ることが可能となった。
【産業上の利用可能性】
【００１９】本発明に係るスポンジモップ絞り器は、床用清掃に限らず、黒板、壁面、天井面、窓ガラス、車、家具、畳などの清掃用具に適用できる。また、本発明では、スポンジモップ絞り器の被洗浄材にスポンジを用いたが、被洗浄材としては、含水性の高い材質を用いこともできる。
【符号の説明】
【００２０】１    絞り器本体
２    絞り用ローラ
３    仕切り板
４    洗浄用注水孔
５    洗浄水受け
６    押さえ間隔調整具（ガイドローラ）
７    スポンジ
８    スポンジモップ
９    着脱板
１０  着脱板の柄
１１  流量調整機構
１２  洗浄水供給源（洗浄水タンク）
１３  絞り調整板
１４  絞り水飛散防止板
１５  汚水受け（バケツ）
１６  汲み上げポンプ
１７  手動ハンドル
１８  電動モーター
【図１】
0005697653.tif 000002
【図２】
0005697653.tif 000003
【図３】
0005697653.tif 000004
【図４】
0005697653.tif 000005
【図５】
0005697653.tif 000006
【図６】
0005697653.tif 000007
【図７】
0005697653.tif 000008
【図８】
0005697653.tif 000009